(57)【要約】【課題】複数種類の光源で構成される光源装置において、ローカルディミング制御によって分割領域ごとに光源輝度が切り替えられた場合であっても光源装置の色度分布を均一化する。【解決手段】指向特性が異なる複数種類の光源であって、第１光源と、前記第１光源よりも指向特性が広い第２光源とを含む複数種類の光源と、前記第１光源が発光する光を拡散させた後、放射させるための拡散構造部と、を有する光源装置であって、前記第１光源が発光したときに前記拡散構造部から放射される光の第１輝度分布の中心の位置が、前記第２光源が発光したときの第２輝度分布の中心の位置に応じた位置になることを特徴とする。【選択図】図１
2016035908.tif 000002
【特許請求の範囲】
【請求項１】
指向特性が異なる複数種類の光源であって、第１光源と、前記第１光源よりも指向特性が広い第２光源とを含む複数種類の光源と、
前記第１光源が発光する光を拡散させた後、放射させるための拡散構造部と、
を有する光源装置であって、
前記第１光源が発光したときに前記拡散構造部から放射される光の第１輝度分布の中心の位置が、前記第２光源が発光したときの第２輝度分布の中心の位置に応じた位置になることを特徴とする光源装置。
【請求項２】
前記第１輝度分布の中心は、前記第２輝度分布の中心に略一致することを特徴とする請求項１に記載の光源装置。
【請求項３】
前記第１輝度分布の分布形状は、前記第２輝度分布の分布形状に応じた形状であることを特徴とする請求項１に記載の光源装置。
【請求項４】
前記第１輝度分布の分布形状は、前記第２輝度分布の分布形状に略一致することを特徴とする請求項３に記載の光源装置。
【請求項５】
複数の前記第２光源が実装される基板が設けられ、
複数の前記第２光源は、前記基板上で第１円の円周上に配置されていることを特徴とする請求項１乃至４のいずれか１項に記載の光源装置。
【請求項６】
前記拡散構造部には、前記第１光源から発光され前記拡散構造部内で拡散された光が、前記拡散構造部外へ放射される放射孔が設けられ、
前記放射孔は、前記基板のうち前記第２光源が実装される面に直交する方向で見たときに、前記第１円と中心が同じ第２円の円周上に複数、配置されていることを特徴とする請求項５に記載の光源装置。
【請求項７】
前記放射孔は、前記第２円の円周上、及び、前記第１円と中心が同じで前記第２円よりも径が大きい第３円の円周上にそれぞれ配置され、
前記第２円の円周上に配置される放射孔の大きさは、前記第３円の円周上に配置される放射孔の大きさよりも大きいことを特徴とする請求項６に記載の光源装置。
【請求項８】
前記拡散構造部は、前記基板に対して前記第２光源の実装側とは反対側で、前記放射孔が前記基板側を向くように配置され、
前記放射孔からの光は、前記基板を介して前記実装側に放射されることを特徴とする請求項６又は７に記載の光源装置。
【請求項９】
前記放射孔には、光を拡散させる拡散部材が設けられていることを特徴とする請求項６乃至８のいずれか１項に記載の光源装置。
【請求項１０】
前記第２光源が実装される基板と、
前記基板に対向して配置され、前記第２光源で発光された光、及び、前記第１光源で発光され前記拡散構造部内で拡散され前記基板を介して放射された光を拡散する拡散板と、
を有し、
前記基板のうち前記第２光源が実装される面上にｘｙ座標系を定義したときの、前記第１輝度分布の中心と、前記第２輝度分布の中心との座標をそれぞれ（ｘ１，ｙ１）（ｘ２，ｙ２）とし、前記基板と前記拡散板との間の距離をＨとした場合に、
Δｘｙ＜０．２Ｈ
（ここで、Δｘｙ＝（（ｘ１−ｘ２）２＋（ｙ１−ｙ２）２）１／２）
の関係が成立することを特徴とする請求項１乃至９のいずれか１項に記載の光源装置。
【請求項１１】
前記第１光源は、レーザーダイオードであることを特徴とする請求項１乃至１０のいずれか１項に記載の光源装置。
【請求項１２】
前記第１光源は、緑色レーザーダイオードであることを特徴とする請求項１乃至１１のいずれか１項に記載の光源装置。
【請求項１３】
前記第２光源は、発光ダイオードであることを特徴とする請求項１乃至１２のいずれか１項に記載の光源装置。
【請求項１４】
前記第１光源が発光した際に生じる熱を放熱する第１放熱部と、前記第２光源が発光した際に生じる熱を放熱する第２放熱部と、を有することを特徴とする請求項１乃至１３のいずれか１項に記載の光源装置。
【請求項１５】
前記第２放熱部は、前記拡散構造部の一部を構成することを特徴とする請求項１４に記載の光源装置。
【請求項１６】
前記拡散構造部には、前記第１光源が発光した光を拡散するための導光板が設けられていることを特徴とする請求項１乃至１５のいずれか１項に記載の光源装置。
【請求項１７】
前記第１光源と第２光源とは、発光方向が異なることを特徴とする請求項１乃至１６のいずれか１項に記載の光源装置。
【請求項１８】
前記光源は、前記第１光源よりも指向特性が広い第３光源をさらに含むことを特徴とする請求項１乃至１７のいずれか１項に記載の光源装置。
【請求項１９】
前記光源装置は、液晶表示装置で用いられるバックライトであることを特徴とする請求項１乃至１８のいずれか１項に記載の光源装置。
【発明の詳細な説明】
【技術分野】
【０００１】
本発明は、光源装置に関するものである。
【背景技術】
【０００２】
光源装置、特に液晶表示装置用バックライト装置において、映像信号の表示色に対応した広い色域を、赤色、緑色、及び青色の発光ダイオード（以下、ＬＥＤ）を組み合わせた構造によって実現する方法がある。しかし、赤色、緑色、及び青色のＬＥＤを用いた液晶表示装置用バックライトの場合、ＬＥＤの分光特性と液晶表示パネルの透過特性の関係から、表示色域の拡大には限界があった。例えばバックライト装置のＬＥＤは赤色、緑色、青色の全ての色が点灯した状態とし、液晶表示パネルのカラーフィルターは緑色のみが透過する設定とした場合、液晶表示パネルの緑色カラーフィルターから赤色と青色の成分がわずかではあるが透過する場合がある。赤色と青色の成分が透過してしまう原因は、ＬＥＤのスペクトル特性は３０ｎｍ程度の半値幅であることによる。赤色と青色成分が透過する影響により、緑色のカラーフィルターを透過した光の純度は、緑色ＬＥＤのみを点灯させたときよりも悪化し、液晶表示装置の色域を広くできない原因となっていた。そこで、ＬＥＤ以上に色純度が高い光を発光できるデバイスとしてレーザーダイオードを使用したバックライト装置が検討されはじめている（例えば特許文献１）。しかし、一般的にレーザーダイオードは高価であるため、特許文献２で示すようにレーザーダイオードとＬＥＤとを組み合わせた光源装置など、費用と性能の両立を目指したバックライトも検討されている。
【０００３】
一方、ＬＥＤやレーザーダイオードが点光源であることを利用して、点光源の発光輝度を個別に制御することで、液晶表示装置用バックライトの明るさを部分的に変更し、表示画像のコントラストを高める技術がある。このように発光輝度を個別に制御する方法は、一般的にローカルディミング制御と呼ばれている。ローカルディミング制御では、表示画面を構成する複数の分割領域のそれぞれについて、画像信号の輝度値を分析し、対応する光源の発光輝度を輝度値の分析結果に基づいて制御する処理が行われる。それにより、表示画像のコントラストが向上される。ローカルディミング制御を行うバックライトは、一般的に直下型と呼ばれる構造を採用する場合が多いが、直下型構造はバックライト装置が厚くなってしまうことが懸念される。この懸念点を解決する従来技術として、例えば特許文献３に示す技術がある。
【先行技術文献】
【特許文献】
【０００４】
【特許文献１】特開２０１１−２３８４８４号公報
【特許文献２】特開２０１２−２３８４６２号公報
【特許文献３】特開２０１２−１７４６３４号公報
【発明の概要】
【発明が解決しようとする課題】
【０００５】
しかしながら、上述のＬＥＤとレーザーダイオードの両方を使用した光源装置においてローカルディミング制御を行う場合、両光源の指向性の違いが問題となる。この問題とは、大部分のＬＥＤは指向性の半値角が１２０度である一方、レーザーダイオードは指向性の半値角が０度〜３０度程度であるため、輝度分布と色度分布を合わせることが非常に難しい。この問題により、ローカルディミング制御によって分割領域ごとに異なる輝度で点灯したとき、色度分布にムラが生じやすいという課題があった。
【０００６】
本発明は上記したような事情に鑑みてなされたものであり、複数種類の光源で構成される光源装置において、ローカルディミング制御によって分割領域ごとに光源輝度が切り替えられた場合であっても光源装置の色度分布を均一化することを目的とする。
【課題を解決するための手段】
【０００７】
上記目的を達成するために本発明にあっては、
指向特性が異なる複数種類の光源であって、第１光源と、前記第１光源よりも指向特性が広い第２光源とを含む複数種類の光源と、
前記第１光源が発光する光を拡散させた後、放射させるための拡散構造部と、
を有する光源装置であって、
前記第１光源が発光したときに前記拡散構造部から放射される光の第１輝度分布の中心の位置が、前記第２光源が発光したときの第２輝度分布の中心の位置に応じた位置になることを特徴とする。
【発明の効果】
【０００８】
本発明によれば、複数種類の光源で構成される光源装置において、ローカルディミング制御によって分割領域ごとに光源輝度が切り替えられた場合であっても光源装置の色度分布を均一化することが可能となる。
【図面の簡単な説明】
【０００９】
【図１】実施例１に係る光源装置の要部の概略構成を示す図
【図２】図１のＡ−Ａ断面を示す図
【図３】実施例１に係る光源装置の輝度分布を示す図
【図４】実施例２に係る光源装置の要部の概略構成を示す図
【発明を実施するための形態】
【００１０】
以下に図面を参照して、この発明を実施するための形態を例示的に詳しく説明する。
［実施例１］
以下、本発明の実施例１に係る光源装置について説明する。
本実施例に係る光源装置は、ローカルディミング制御可能な光源装置であり、個別に発光輝度を変更可能な複数の分割領域（発光ブロック）を有し、１つ以上の分割領域を１つの発光単位として、発光単位毎に、決定された発光輝度で発光可能に構成されている。本実施例に係る光源装置は、例えば、液晶表示装置用のバックライト装置として使用することができる。なお、本発明は、バックライト装置に限らず、例えば、光を透過して画像を表示する表示装置（広告標識装置、標識表示装置など）の光源装置においても好適に適用することができる。また、本発明は、室内照明、街灯など、表示装置以外の装置用の光源装置においても好適に適用することができる。
【００１１】
図１は、本実施例に係る光源装置１００の要部の概略構成を示す図である。図１では、光源装置１００の一つの点灯単位（発光単位）を示している。
また、図２は、図１のＡ−Ａ断面を示す図（点線で切断した部分を矢印方向で見たときの断面図）である。
以下、図１、図２に基づいて光源装置１００の構成を説明する。
【００１２】
光源１０１は、青色ＬＥＤ（発光ダイオード）光源である。本実施例の光源１０１は、後述する拡散部１１２の方向へ光を放射するように配置されている。ここで、光源１０１は一つの点灯単位に対して、複数個配置されるものであってもよく、１個配置されるものであってもよい。
光源１０２は、赤色ＬＥＤ光源である。本実施例の光源１０２は、光源１０１と同様、拡散部１１２の方向へ光を放射するように配置されている。また、光源１０２においても
一つの点灯単位に対して、複数個配置されるものであってもよく、１個配置されるものであってもよい。
基板部１０３は、光源１０１及び光源１０２が発光するために必要な電力を伝送するための実装基板である。基板部１０３は、一般的なガラスエポキシ基板でもよいし、放熱性に優れたアルミ基板などであってもよい。
【００１３】
放熱部１０４は、光源１０１及び光源１０２が発光した際に生じる熱を効果的に冷却し、光源１０１及び光源１０２を所定の温度以下で点灯させるための放熱構造である。なお、前述の基板部１０３と放熱部１０４の間には、電気的絶縁効果を持つ絶縁シートが配置（挿入）されていてもよい。
反射部１０５は、光源１０１、光源１０２、及び後述する光源１０６が発光した光の利用率を向上させるための光反射板である。反射部１０５は、光源１０１、光源１０２、及び光源１０６が発光した光のうち、拡散部１１２や液晶表示パネル１１３によって反射された光を、再度拡散部１１２側へ戻す際の反射効率を高める役割を担っている。
【００１４】
光源１０６は、緑色レーザーダイオードである。本実施例での光源１０６は、発光方向が、光源１０１及び光源１０２とは９０度異なる方向へ光を発光するように取り付けられているが、光源１０１及び光源１０２と同様、拡散部１１２の方向へ光を放射するように取り付けてもよい。
基板部１０７は、光源１０６が発光するために必要な電力を伝送するための実装基板である。基板部１０７は、一般的なガラスエポキシ基板でもよいし、放熱性に優れたアルミ基板などであってもよい。
【００１５】
反射部１０８は、光源１０６が発光した光を反射部１０８で囲まれた略閉空間内で十分に拡散させるための反射構造（拡散構造）である。本実施例では、この略閉空間を放熱部１０４と、後述する放熱部１１０で構成し、反射部１０８は、略閉空間内の側面部、底面部、及び天井面部に配置している。しかしながら、反射部１０８は、この配置に限るものではなく、必要な拡散性能に応じて反射部１０８の設置面を適宜設定すればよい。このように、略閉空間内の側面部、底面部、及び天井面部に反射部１０８を配置することで、放射される光の利用率を高めることができる。また、放熱部１０４が、反射部１０８で構成される反射構造（拡散構造）の一部を構成する（放熱部１０４が反射構造を兼ねる）ことで、光学装置本体を小型化することができる。
【００１６】
光透過孔部１０９は、光源１０６が発光した光を、反射部１０８で構成される略閉空間によって拡散させた後、拡散部１１２の方向へ（拡散構造部外へ）放射させるための孔（放射孔）である。また、光透過孔部１０９には、光透過孔部１０９から放射される光の輝度分布性能に応じて、拡散板（拡散部材）などの拡散構造を追加設置し、輝度分布のムラ性能を向上させてもよい。
放熱部１１０は、光源１０６が発光した際に生じる熱を効果的に冷却し、光源１０６を所定の温度以下で点灯させるための放熱構造である。前述の基板部１０７と放熱部１１０の間には、電気的絶縁効果を持つ絶縁シートが配置されていてもよい。
【００１７】
熱絶縁部１１１は、放熱部１０４と放熱部１１０の熱伝導を抑制するための構造である。熱絶縁部１１１は、シート状の構造であってもよいし、またゴム状の構造であってもよいし、さらに空間であってもよい。
拡散部１１２は、光源１０１、光源１０２、及び光源１０６が発光した光を十分に拡散させた後、後述する液晶表示パネル１１３へ放射するための拡散構造である。拡散部１１２に使用する部材として、例えば拡散板、拡散シート、集光シート、光偏光シートなどが挙げられ、各部材単体、又は複数のシートの組み合わせによって構成される。
液晶表示パネル１１３は、映像信号装置から送信される映像信号を受信し、映像信号の
内容に応じた映像を表示するパネルである。
【００１８】
以下に、本実施例に係る光源装置１００における光源１０１、光源１０２、光源１０６、及び光透過孔部１０９の配置について説明する。
光源１０６の配置は、光源１０６からの光が反射部１０８内（拡散構造部内）にて十分に拡散された後、光透過孔部１０９から放射される際、所望の輝度分布で放射されるように決定される。本実施例では、図２に示すように、光源１０６の光の放射方向を水平方向（図に示す矢印方向）としている。これは、光源１０６からの光が垂直方向へ放射されるように光源１０６を配置すると、光透過孔部１０９から放射される光が十分に拡散されない状態で放射される可能性が高くなるためである。なお、ここでは図示しないが、光源１０６からの光の拡散を促すため、光の放射方向にレンズなどの光拡散体を設けてもよい。
【００１９】
次に、光源１０１及び光源１０２の配置について説明する。
本実施例において、光源１０１はＬＥＤであり、一つの点灯単位内にそれぞれの光源が４個ずつ配置され、４個の光源は同時に点灯するものとする。また、４個の光源は同一の輝度で点灯するものとする。このとき、４個の光源１０１を同時に点灯したことによる輝度分布形状は、点灯単位の中心点Ｃで最も輝度が高い分布形状となる。
このような輝度分布となる理由は、４個の光源１０１が、基板部１０３に、点灯単位の中心点Ｃに対して同一の間隔Ｌ１で配置されている（中心点Ｃを中心とする円（仮想円）の円周上に配置されている）ためである。このとき、４個の光源１０１が、中心点Ｃを中心とする円の円周方向に等間隔に配置されると、より好ましい。
ここで、図１に示す中心点Ｃは、基板部１０３のうち、光源１０１及び光源１０２が実装される実装側の表面（基板上）の仮想点である。この基板表面に直交する方向で光源装置１００を見たときの図が図１である。
【００２０】
光源１０２についても光源１０１同様に、一つの点灯単位内にそれぞれの光源が４個ずつ配置され、４個の光源は同時に点灯するものとする。また、４個の光源は同一の輝度で点灯するものとする。このとき、４個の光源１０２を同時に点灯したことによる輝度分布形状は、４個の光源１０２が点灯単位の中心点Ｃに対して同一の間隔Ｌ２で配置されているため、点灯単位の中心点Ｃで最も輝度が高い分布形状となる。光源１０１と光源１０２の両方の輝度分布形状が、点灯単位の中心点Ｃで最も輝度が高い分布形状となっていることから、光源１０１と光源１０２が同時に点灯したときの輝度分布形状も点灯単位の中心点Ｃで最も輝度が高くなる輝度分布となる。
【００２１】
次に、光透過孔部１０９の配置について考える。
光透過孔部１０９は、前述のように光源１０６からの光を拡散部１１２の方向へ放射するための透過孔（放射孔）、又は拡散構造である。本実施例での光透過孔部１０９は、大小各４個の孔で構成され、大型孔１０９ａは中心点Ｃから間隔Ｌ３で配置され、小型孔１０９ｂは中心点Ｃから間隔Ｌ４で配置されているものとする。ここで、図１に示す通り、間隔Ｌ３と間隔Ｌ４は、Ｌ３＜Ｌ４の関係となっている。
光透過孔部１０９の光透過孔は、孔の大きさが同じであれば、同一の輝度で点灯する点光源とみなすことができる。その理由は、光源１０６からの光は反射部１０８内にて十分拡散されるため、反射部１０８の上面部に照射される光は均一な状態となっているからである。
【００２２】
次に、本発明の目的であるローカルディミング制御時の色度分布の均一化を考える。
色度分布を均一化するためには、光透過孔部１０９からの光の輝度分布の分布形状が、光源１０１及び光源１０２が発光する光の輝度分布の分布形状に応じた形状とすればよい。これには、光透過孔部１０９からの光の輝度分布の中心の位置が、光源１０１及び光源１０２が発光する光の輝度分布の中心の位置に応じた位置になればよい。より具体的には
、光源１０１、光源１０２及び光透過孔部１０９からの光の輝度分布の分布形状を近似（略一致）させればよい。よって、光透過孔部１０９の配置は、点灯単位の中心点Ｃで最も輝度が高くなるように、中心点Ｃを中心に、中心点Ｃとの間の間隔がそれぞれ同一となるように配置すればよい。このとき、中心点Ｃを中心とする円の円周方向に等間隔に配置すると、より好ましい。
さらに、中心点Ｃ以外の部分でも光源１０１、光源１０２、及び光透過孔部１０９の輝度分布形状を近似させるためには、各光源及び光透過孔部と、中心点Ｃとの各間隔を等しくするのが理想的である。すなわち、光源１０１と中心点Ｃの間隔Ｌ１、光源１０２と中心点Ｃの間隔Ｌ２、及び光透過孔部１０９と中心点Ｃの間隔Ｌ３，Ｌ４を等しくするのが理想的である。
【００２３】
光源の配置や透過孔の配置にスペース上の問題がある場合は、各光源が発光する光の輝度分布の形が近似するよう、光透過孔部１０９の大きさを中心点Ｃからの間隔に応じて変更すればよい。図１においては、光透過孔部１０９の大きさを中心点Ｃからの間隔に応じて変更した場合の例を示している。
図１の場合、中心点Ｃに対し最遠部にある光透過孔部１０９の小型孔１０９ｂの間隔Ｌ４は、間隔Ｌ１よりも長くなっている。よって、最遠部の光透過孔部１０９の小型孔１０９ｂのみから光を放射した場合、輝度が最も高い点は中心点Ｃになるが、光源１０１や光源１０２よりも遠い位置まで光が放射されることになる。このため、中心点Ｃからの間隔が間隔Ｌ３となるエリアにも光透過孔部１０９を配置し、さらに間隔Ｌ３にある光透過孔部１０９を、孔の大きさが、間隔Ｌ４にある小型孔１０９ｂの大きさよりも大きな大型孔１０９ａとしている。これにより、光源１０１及び光源１０２と、光透過孔部１０９との輝度分布の形を同一にすることができる。
【００２４】
図３は、上述のように構成された光源１０１、光源１０２、光源１０６、及び光透過孔部１０９によって生成された輝度分布を示す図である。
図３では、光源１０１の輝度分布を１１４で示し、光源１０２の輝度分布を１１５で示し、光透過孔部１０９による輝度分布を１１６で示している。
図３から、輝度分布特性の中心（頂点の位置）が略一致していることがわかる。
【００２５】
以上述べたように、本実施例では、光源１０１、光源１０２、光源１０６、反射部１０８、及び光透過孔部１０９を上述のように構成している。このことで、光源１０１及び光源１０２が発光したときの輝度分布の中心と、光源１０６が発光したときに光透過孔部１０９から放射される光の輝度分布の中心とを略一致させることができる。
これにより、ＬＥＤとレーザーダイオードの両方を使用した光源装置において、ローカルディミング制御によって分割領域ごとに光源輝度を切り替えた場合であってもバックライトの色度分布を均一化することができる。
【００２６】
ここで、本発明者らは、光源間の間隔と、光源（基板）から、基板部１０３に対向して配置された拡散部１１２までの距離の違いによるムラ性能の影響について検討した。その結果、光源１０６が発光したときに光透過孔部１０９から放射される光の輝度分布の中心と、光源１０１及び光源１０２が発光したときの輝度分布の中心とが、少しずれていても、次のような関係が成立すれば、上述の本発明の効果が得られることがわかった。以下に、この点について説明する。
図１において、基板部１０３の基板表面上に、中心点Ｃを原点とするｘｙ座標系を定義し、光源１０６が発光したときに光透過孔部１０９から放射される光の輝度分布の中心の座標を（ｘ１，ｙ１）とする。また、光源１０１及び光源１０２が発光したときの輝度分布の中心の座標を（ｘ２，ｙ２）とする。また、反射部１０５と拡散部１１２との間の距離をＨとする。
このような場合に、
Δｘｙ＜０．２Ｈ
（ここで、Δｘｙ＝（（ｘ１−ｘ２）２＋（ｙ１−ｙ２）２）１／２）
の関係が成立するものであればよい。ここで、距離Ｈは、光源１０１及び光源１０２が実装される基板と、拡散部１１２との間の距離であるが、本実施例では、基板部１０３表面に反射部１０５が配置されているため、距離Ｈを、反射部１０５と拡散部１１２との間の距離としている。
【００２７】
このような構成により、ＬＥＤとレーザーダイオードの両方を使用した光源装置において、ローカルディミング制御によって分割領域ごとに光源輝度を切り替えた場合であっても、バックライトの色度分布を均一化することに近づけることができる。
ここで、本実施例では、ＬＥＤとレーザーダイオードを備えた光源装置について説明したが、光源装置としては、これに限るものではなく、指向特性が異なる複数種類の光源を備えるものであればよい。指向特性が異なる複数種類のＬＥＤの組み合わせとしては、砲弾型ＬＥＤ（直進性が高い）と、面実装型ＬＥＤ（指向特性がランバート分布）との組み合わせや、ＣＣＦＬ（冷陰極管）とレーザーとの組み合わせ、有機ＥＬとレーザーとの組み合わせを例示できる。
【００２８】
［実施例２］
以下に、本発明の実施例２に係る光源装置２００について説明する。
上述した実施例１では、光源１０６の光を拡散し、拡散部１１２側へ放射するための拡散構造として、反射部１０８及び光透過孔部１０９が設置されている構成について説明した。
これに対して本実施例では、実施例１の構成に対して、光源１０６の光を拡散させる構造として導光板が追加されている構成について説明する。なお、本実施例においては、実施例１に対して異なる構成部分について述べることとし、実施例１と同様の構成部分については、その説明を省略する。
【００２９】
図４は、本実施例に係る光源装置２００の要部の概略構成を示す図であり、光源装置２００の一つの点灯単位の断面図である。
以下、図４を用いて本実施例の光源装置２００の構成を説明する。
本実施例では、光源１０６は、光源１０６が発光する光が水平方向へ放射されるように取り付けられており、後述する導光板２０１に向けて光を放射する。
【００３０】
導光板２０１は、光源１０６から受光した光を拡散部１１２側へ放射するための部材である。導光板２０１の底面部には、ドットパターンなど光を反射するためのパターンが形成されている。導光板２０１の底面部のドットパターンは、底面全体を均一な輝度で放射するように形成されるものであってもよく、また、後述する光透過孔部１０９の位置において強い輝度となるように形成されるものであってもよい。
反射部１０８は、導光板２０１の底面部に設置され、導光板２０１を透過した光を上面に向けて反射させる役割を担っている。また、放熱部１０４の底面にも反射部１０８を設置し、放熱部１０４へ放射される光の利用率を高めてもよい。
【００３１】
以下に、本実施例に係る光源装置２００における光源１０１、光源１０２、光源１０６、及び光透過孔部１０９の配置について説明する。
光源１０１及び光源１０２の配置については実施例１と同様である。
次に、光透過孔部１０９の配置について考える。
光源１０６から放射された光は、導光板２０１と反射部１０８の効果により十分に拡散される。よって、光透過孔部１０９に向けて照射される光は均一な状態となっており、光透過孔部１０９のそれぞれの光透過孔は、同一の輝度で点灯する点光源とみなすことができる。
【００３２】
光透過孔部１０９の配置については実施例１と同様の考え方であるが、本実施例では、空間での光拡散ではなく導光板２０１によって光が拡散されているため、放熱部１０４の底面部にある反射部１０８は小面積で済む場合が多いと考えられる。
よって、点灯単位の中心点Ｃに近い距離の光透過孔部１０９の大きさをできるだけ大きくすることが可能である。ここで、導光板２０１の指向性に応じて光透過孔部１０９の配置、個数、大きさを決定してもよい。
【００３３】
以上述べたように、本実施例においても、上述した実施例１同様の効果を得ることが可能となる。
本発明に係る光源装置は、上述の実施例１，２に限定されるものではなく、本発明の要旨を逸脱しない範囲内において種々の変更を加えてもよい。例えば、光透過孔部１０９においては、孔の形状（円形、長方形、正方形、楕円など）は問わず、光源１０６が発光したときの輝度分布特性の中心が、光源１０１及び光源１０２の輝度分布特性の中心と略一致するような形状であればよい。
また、光透過孔部１０９は、基板部１０３に対して光源１０１及び光源１０２の実装側とは反対側で、基板側を向くように配置されているが、これに限るものではない。光透過孔部１０９は、光源１０６が発光したときの輝度分布特性の中心が、光源１０１及び光源１０２の輝度分布特性の中心と略一致するような位置に配置されるものであれば、どのように構成されるものであってもよい。
【符号の説明】
【００３４】
１００…光源装置、１０１…光源、１０６…光源、１０８…反射部
【図１】
2016035908.tif 000003
【図２】
2016035908.tif 000004
【図３】
2016035908.tif 000005
【図４】
2016035908.tif 000006